(57)【要約】【課題】選択されたファッションアイテムに合わせたコーディネートをユーザに提案するとともに、ユーザの体型を反映した選択されたファッションアイテムの試着イメージを表示することにより、ユーザが容易にファッションアイテムを選択することができるコーディネートシステムを提供する。【解決手段】コーディネートシステム１は、ユーザの体型を表す身体データＳｄを含むユーザデータＵｄと、コーディネートデータＣｄを含む商品データＰｄとが記憶されたサーバ記憶部２２と、サーバ制御部２１と、を有するサーバ２０と、表示部１２と、ファッションアイテムを選択する入力部１１と、を有するユーザ端末１０と、を備える。サーバ制御部２１は、商品データＰｄと身体データＳｄとに基づいて、試着イメージを作成し、表示部１２は、コーディネートデータＣｄに登録されているファッションアイテムと、作成された試着イメージとを表示する。【選択図】図１
2019191785.tif 000002
【特許請求の範囲】
【請求項１】
ユーザの体型を表す身体データを含むユーザデータと、ファッションアイテムの画像及び前記ファッションアイテムの組み合わせを示すコーディネートデータを含む商品データと、が記憶されたサーバ記憶部と、前記サーバ記憶部を制御するサーバ制御部と、を有するサーバと、
前記ファッションアイテムの画像を表示する表示部と、前記表示部に表示された複数の前記ファッションアイテムの画像からファッションアイテムを選択する入力部と、を有するユーザ端末と、を備え、
前記サーバ制御部は、
前記入力部で選択されたファッションアイテムの商品データと前記身体データとに基づいて、前記選択されたファッションアイテムの試着イメージを作成し、
前記表示部は、
前記選択されたファッションアイテムの前記コーディネートデータに登録されているファッションアイテムと、前記サーバ制御部で作成された試着イメージとを表示する、
ことを特徴とするコーディネートシステム。
【請求項２】
前記コーディネートデータは、
他のユーザが購入したファッションアイテムの組み合わせに基づいて決定されている、
ことを特徴とする請求項１に記載のコーディネートシステム。
【請求項３】
前記ユーザデータは、
ユーザが所有しているファッションアイテムを表すワードローブデータを含む、
ことを特徴とする請求項１又は２に記載のコーディネートシステム。
【請求項４】
前記サーバ制御部は、
ユーザが購入したファッションアイテムを前記ワードローブデータに登録する、
ことを特徴とする請求項３に記載のコーディネートシステム。
【請求項５】
コンピュータを、請求項１から４のいずれか一項に記載のコーディネートシステムの各部として機能させるためのプログラム。
【発明の詳細な説明】
【技術分野】
【０００１】
本発明は、コーディネートシステム及びプログラムに関する。
【背景技術】
【０００２】
インターネットを介して衣服、帽子、靴等のファッションアイテムを販売するオンラインショップでは、実店舗でファッションアイテムを購入する場合のように試着をすることができない。このため、コンピュータ、スマートフォン等の画面上に表示されたファッションアイテムの印象と、購入後に着用したファッションアイテムの印象とが異なる場合がある。このような印象の差を軽減する方法として、オンラインショップで購入者の体型に合わせた試着イメージを表示させる試着シミュレーションシステムが開発されている（例えば、特許文献１）。
【先行技術文献】
【特許文献】
【０００３】
【特許文献１】特開２００１−２７３４１０号公報
【発明の概要】
【発明が解決しようとする課題】
【０００４】
特許文献１の試着シミュレーションシステムでは、予め保存されたユーザの性別、身長等の身体スタイルデータと、ユーザが選択した衣料品のデータに基づいて試着画像を作成する。しかしながら、ユーザがファッションに疎い場合、選択した衣料品と、他の衣料品との組み合わせ（コーディネート）が適当か否か判断することは難しい。
【０００５】
本発明は、上述の事情に鑑みてなされたものであり、選択されたファッションアイテムに合わせたコーディネートをユーザに提案するとともに、ユーザの体型を反映した選択されたファッションアイテムの試着イメージを表示することにより、ユーザが容易にファッションアイテムを選択することができるコーディネートシステムを提供することを目的とする。
【課題を解決するための手段】
【０００６】
上記目的を達成するために、本発明の第１の観点に係るコーディネートシステムは、
ユーザの体型を表す身体データを含むユーザデータと、ファッションアイテムの画像及び前記ファッションアイテムの組み合わせを示すコーディネートデータを含む商品データと、が記憶されたサーバ記憶部と、前記サーバ記憶部を制御するサーバ制御部と、を有するサーバと、
前記ファッションアイテムの画像を表示する表示部と、前記表示部に表示された複数の前記ファッションアイテムの画像からファッションアイテムを選択する入力部と、を有するユーザ端末と、を備え、
前記サーバ制御部は、
前記入力部で選択されたファッションアイテムの商品データと前記身体データとに基づいて、前記選択されたファッションアイテムの試着イメージを作成し、
前記表示部は、
前記選択されたファッションアイテムの前記コーディネートデータに登録されているファッションアイテムと、前記サーバ制御部で作成された試着イメージとを表示する。
【０００７】
また、前記コーディネートデータは、
他のユーザが購入したファッションアイテムの組み合わせに基づいて決定されている、
こととしてもよい。
【０００８】
また、前記ユーザデータは、
ユーザが所有しているファッションアイテムを表すワードローブデータを含む、
こととしてもよい。
【０００９】
また、前記サーバ制御部は、
ユーザが購入したファッションアイテムを前記ワードローブデータに登録する、
こととしてもよい。
【００１０】
また、本発明の第２の観点に係るプログラムは、
コンピュータを、第１の観点に係るコーディネートシステムの各部として機能させる。
【発明の効果】
【００１１】
本発明によれば、選択されたファッションアイテムに合わせたコーディネートをユーザに提案するとともに、ユーザの体型を反映した選択されたファッションアイテムの試着イメージを表示することにより、ユーザが購入するファッションアイテムを容易に選択することが可能である。
【図面の簡単な説明】
【００１２】
【図１】本発明の実施の形態１に係るコーディネートシステムの機能ブロック図である。
【図２】実施の形態１に係るコーディネート提案処理の流れを示すフローチャートである。
【図３】ユーザ登録画面を示す図である。
【図４】ベースカテゴリの商品を選択するホーム画面を示す図である。
【図５】推奨されるコーディネートに係る商品を選択する画面を示す図である。
【図６】推奨されるコーディネートから商品を選択した画面を示す図である。
【図７】本発明の実施の形態２に係るコーディネートシステムの機能ブロック図である。
【図８】実施の形態２に係るホーム画面を示す図である。
【図９】実施の形態２に係るワードローブ登録処理の流れを示すフローチャートである。
【図１０】実施の形態２に係るワードローブ登録画面を示す図である。
【図１１】実施の形態２に係るワードローブ登録後のホーム画面を示す図である。
【発明を実施するための形態】
【００１３】
以下、本発明の実施の形態に係るコーディネートシステム及びプログラムについて、図面を参照して詳細に説明する。
【００１４】
（実施の形態１）
本実施の形態では、図１の機能ブロック図に示すように、ユーザが使用するユーザ端末１０と、商品であるファッションアイテムの情報を提供するサーバ２０とを備えるコーディネートシステム１を例として説明する。
【００１５】
ユーザ端末１０は、インターネット等のネットワークを介してサーバ２０と接続され、サーバ２０から提供される衣服、帽子、靴等の購入可能な商品のデータ、提案されたコーディネート等を表示させるとともに、ユーザが表示された商品から購入したい商品を選択するための端末装置である。具体的には、ユーザ端末１０は、スマートフォン、タブレット、パーソナルコンピュータ等の通信機能を有する端末である。
【００１６】
本実施の形態に係るユーザ端末１０は、スマートフォンであり、入力部１１、表示部１２、端末制御部１３、端末通信部１４、端末記憶部１５を備える。
【００１７】
入力部１１は、キーボード、マウス等の入力装置であり、本実施の形態に係るユーザ端末１０では、表示部１２上に配置され、ユーザの指、スタイラスペン等で情報入力を行うタッチパネルである。
【００１８】
表示部１２は、例えば液晶パネル、有機ＥＬ（Electro Luminescence）パネル等の表示装置であり、本実施の形態に係る表示部１２は、液晶パネルである。
【００１９】
端末記憶部１５は、ハードディスク、フラッシュメモリ等の不揮発性メモリであり、ユーザ端末１０に入力された情報、ユーザ端末１０の各機能を実現するための動作プログラム及びデータが記憶されている。
【００２０】
端末制御部１３は、ＣＰＵ（Central Processing Unit）、ＲＯＭ（Read Only Memory）、ＲＡＭ（Random Access Memory）、水晶発振器等から構成されており、ユーザ端末１０全体の動作を制御する。端末制御部１３は、端末記憶部１５、端末制御部１３のＲＯＭ等に記憶されている各種動作プログラム及びデータをＲＡＭに読み込んでＣＰＵを動作させることにより、図１に示されるユーザ端末１０の各部を動作させる。
【００２１】
端末通信部１４は、有線又は無線によってデータの送受信を行う。本実施の形態に係る端末通信部１４は、無線通信により、インターネット等のネットワークを介してサーバ２０とデータの送受信を行う。
【００２２】
サーバ２０は、ネットワークを介してユーザ端末１０と接続され、購入可能な商品、提案されたコーディネート等の情報をユーザ端末１０へ送信する。また、ユーザが選択した商品の商品データＰｄとユーザデータＵｄに基づいて試着イメージ画像作成し、ユーザ端末１０へ送信する。
【００２３】
サーバ２０は、図１に示すように、サーバ制御部２１、サーバ記憶部２２、サーバ通信部２３を備える。
【００２４】
サーバ記憶部２２は、ハードディスク、フラッシュメモリ等の不揮発性メモリであり、ユーザデータＵｄ、商品データＰｄ、サーバ２０の各機能を実現するための動作プログラム及びデータが記憶されている。
【００２５】
サーバ制御部２１は、ＣＰＵ、ＲＯＭ、ＲＡＭ、水晶発振器等から構成されており、サーバ２０全体の動作を制御する。サーバ制御部２１は、サーバ記憶部２２、サーバ制御部２１のＲＯＭ等に記憶されている各種動作プログラム及びデータをＲＡＭに読み込んでＣＰＵを動作させることにより、図１に示されるサーバ制御部２１の各機能を実現させる。これにより、サーバ制御部２１は、試着イメージ作成部２１１及び表示商品選択部２１２として動作する。
【００２６】
サーバ通信部２３は、有線又は無線によってデータの送受信を行う。本実施の形態に係るサーバ通信部２３は、有線通信により、インターネット等のネットワークを介してユーザ端末１０とデータの送受信を行う。
【００２７】
次に、コーディネートシステム１によるコーディネート提案処理の流れについて、図２のフローチャートに基づいて説明する。
【００２８】
ユーザは、ユーザ端末１０を操作して、コーディネートシステム１へログインする（ステップＳ１１）。ユーザがコーディネートシステム１に初めてログインする場合（ステップＳ１２；ＹＥＳ）、ユーザは、ユーザ登録を行う（ステップＳ１３）。ユーザ登録では、ユーザは、ユーザの住所、氏名等をユーザデータＵｄとして登録する。
【００２９】
また、ユーザデータＵｄは、ユーザの身長、胸囲、ウエスト、ユーザの性別、顔の形、髪形を含む身体データＳｄを含む。また、身体データＳｄは、目の大きさ、肌の色等の詳細情報を含んでもよい。身体データＳｄの入力は、図３に示す身体データ登録画面から、各項目を選択又は数値入力することにより行う。身体データＳｄのうち、身長、ウエスト等の体型を表すデータの入力は、数値による直接入力に限られず、Ｓ、Ｍ、Ｌ、７号、９号などの選択肢から選択して入力することとしてもよい。
【００３０】
コーディネートシステム１へのログインが初回ではなく、ユーザデータＵｄがサーバ２０のサーバ記憶部２２に記憶されている場合（ステップＳ１２；ＮＯ）、及び初回ログイン時のユーザ登録が完了した場合、商品選択ステップへ進む。商品選択ステップでは、サーバ２０は、ホーム画面データをユーザ端末１０へ送信する。ユーザ端末１０の端末制御部１３は、ホーム画面データに基づいて、図４に示すホーム画面を表示部１２に表示する（ステップＳ１４）。
【００３１】
ホーム画面データは、選択可能なカテゴリを表示させるためのカテゴリ情報と、ユーザのアバターＵａを表示させるための情報とを含む。アバターＵａは、サーバ記憶部２２に記憶されている体型、髪形等の身体データＳｄに基づいて生成された、試着イメージの確認に用いる画像データである。
【００３２】
続いて、ユーザは、表示部１２に表示されているカテゴリから、１つ目の商品のカテゴリ（以下、ベースカテゴリという）を選択する（ステップＳ１５）。カテゴリの選択は、例えば、表示されている複数のカテゴリのうちの１つをタップすることにより行う。ユーザ端末１０の端末制御部１３は、選択されたベースカテゴリを示す選択カテゴリ情報Ｓｃを、端末通信部１４を介してサーバ２０へ送信する（ステップＳ１６）。
【００３３】
サーバ２０のサーバ制御部２１は、受信した選択カテゴリ情報Ｓｃに基づいて、選択されたベースカテゴリに含まれる商品の商品データＰｄをサーバ記憶部２２から読み出す。そして、サーバ制御部２１は、読み出した商品データＰｄを、サーバ通信部２３を介してユーザ端末１０へ送信する（ステップＳ１７）。
【００３４】
ユーザ端末１０の端末制御部１３は、受信した商品データＰｄに基づいて、図４に示すように、選択されたベースカテゴリの商品の画像を、表示部１２に表示させる（ステップＳ１８）。ユーザは、表示部１２に表示された商品から気に入った商品を選択する（ステップＳ１９）。商品の選択は、例えば、表示部１２に表示されている商品の画像を、タッチパネルである入力部１１で、アバターＵａ上にドラッグアンドドロップすることにより行う。
【００３５】
ユーザ端末１０の端末制御部１３は、選択された商品を示す商品ＩＤをサーバ２０へ送信する。サーバ２０の試着イメージ作成部２１１は、受信した商品ＩＤに係る商品データＰｄと身体データＳｄに基づいて、選択された商品の画像とアバターＵａとを合成し、選択した商品を試着した状態のアバターＵａを作成する（ステップＳ２０）。
【００３６】
また、表示商品選択部２１２は、選択された商品の商品データＰｄに含まれるコーディネートデータＣｄに基づいて、推奨されるコーディネートに該当する商品の商品データＰｄをサーバ記憶部２２から読み出す。コーディネートデータＣｄは、選択された商品について推奨される組み合わせ（コーディネート）として、商品データＰｄの登録の際予め設定されている商品のＩＤである。すなわち、コーディネートデータＣｄに登録されている商品は、選択された商品のカテゴリ（ベースカテゴリ）と異なるカテゴリの商品である。
【００３７】
サーバ制御部２１は、ステップＳ２０で作成したアバターＵａと、推奨されるコーディネートに該当する商品の商品データＰｄとを、サーバ通信部２３を介してユーザ端末１０へ送信する。
【００３８】
ユーザ端末１０の端末制御部１３は、図５に示すように、アバターＵａを、受信した試着後のアバターＵａに更新して表示部１２へ表示させる。また、受信した商品データＰｄに基づいて、推奨されたコーディネートに係る商品の画像データをカテゴリごとに表示部１２へ表示させる（ステップＳ２１）。
【００３９】
ユーザは、表示部１２に表示された選択済みのベースカテゴリ以外のカテゴリの商品から、気に入った商品を選択する（ステップＳ２２）。図６に示すように、ステップＳ１９〜Ｓ２１までと同様の処理により、選択した商品の試着イメージが作成され、アバターＵａとして表示部１２に表示される。以下、ユーザは、購入を希望する商品について、順次選択してコーディネートを完成させる。
【００４０】
これにより、ユーザは、気に入った１つの商品を選択することで、これに合う推奨コーディネートに係る商品の提案を受けることができる。また、ユーザは、ユーザ自身の体型を反映したアバターＵａによって、試着イメージを確認することができるので、選択した商品群が、自分のイメージに合っているかどうかを確認し、全体のコーディネートを容易に選択できる。
【００４１】
また、コーディネートシステム１は、ＥＣ（Electronic Commerce）サイトとしての機能を有している。ユーザは、図６に示される購入ボタン３１を押下することにより、アバターＵａに試着させている商品を一括して購入することができる。また、アバターＵａに試着させた商品から、必要な商品のみを選択して購入してもよい。
【００４２】
ユーザは、購入商品を決定し、クレジットカード情報の入力等の購入手続をする（ステップＳ２３）。そして、コーディネート提案処理は終了する。
【００４３】
以上、詳細に説明したように、本実施の形態では、ユーザが選択したカテゴリの商品に関連付けられた、別のカテゴリの商品を推奨コーディネートとしてユーザ端末１０に表示させることにより、コーディネートを提案することができる。これにより、ユーザは、コーディネートを容易に選択することができる。
【００４４】
また、本実施の形態に係るコーディネートシステム１では、ユーザの体型を反映したアバターＵａに商品を着せ替えることにより、ユーザは、試着イメージを確認することができる。これにより、ユーザは、コーディネート全体のイメージを容易に確認できる。
【００４５】
また、本実施の形態に係るコーディネートシステム１では、図５、図６に示すように、コーディネートデータＣｄに登録されている推奨コーディネートに係る商品を、商品単体の画像として表示部１２に表示させることとしたが、これに限られない。例えば、ユーザのアバターＵａが推奨コーディネートに係る商品を試着している試着イメージを、表示部１２に表示させることとしてもよい。これにより、ユーザは、試着イメージを確認しつつ、複数のファッションアイテムを選択することができる。
【００４６】
本実施の形態では、ベースカテゴリの商品のコーディネートデータＣｄに基づいて、表示部１２に、推奨コーディネートに係る商品を表示させることとしたが、これに限られない。例えば、２つ目以降の商品が選択されるごとに、選択された商品のコーディネートデータＣｄに基づいて表示させる商品を更新することとしてもよい。また、選択された複数の商品のコーディネートデータＣｄにおいて、重複している商品を優先的に推奨コーディネートとして表示させることとしてもよい。これにより、ユーザは、全体としてバランスのよいコーディネートを、容易に完成させることができる。
【００４７】
また、コーディネートデータＣｄは、３つ以上のファッションアイテムをセットとしたコーディネートパターンとして登録されることとしてもよい。この場合、３つ以上のファッションアイテムからなるコーディネートパターンを推奨コーディネートとしてユーザ端末１０の表示部１２に表示させる。これにより、ユーザは、全体のコーディネートをより容易に選択することができる。
【００４８】
また、本実施の形態では、商品データＰｄに含まれるコーディネートデータＣｄは、商品データＰｄの登録の際に予め設定されていることとしたが、これに限られない。例えば、他のユーザが購入した商品の組み合わせに基づいて、自動的に設定することとしてもよい。具体的には、他のユーザが組み合わせとして購入した回数が１０回を超えた場合、その組み合わせに係る商品の商品データＰｄのコーディネートデータＣｄに、組み合わせとして購入された商品のＩＤを登録してもよい。これにより、システム管理者が情報更新をすることなく、流行のコーディネートを登録することができる。また、ユーザは、他のユーザのコーディネートを参考にしつつ、容易に商品を選択することができる。
【００４９】
また、ユーザが選択した複数のファッションアイテムからなるユーザ推奨コーディネートパターンをコーディネートデータＣｄに登録できることとしてもよい。また、ユーザ推奨コーディネートパターンに対する、他のユーザからの支持の度合いを表すランキングを作成し、表示部１２に表示することとしてもよい。ユーザからの支持は、例えば、表示部１２に表示されたおすすめボタンを押下することにより行い、おすすめボタンが押下された回数の多い順にランキングを作成する。これにより、ユーザは、他のユーザから支持の高いコーディネートを容易に選択できる。
【００５０】
上述のように、ユーザ推奨コーディネートパターンをコーディネートデータＣｄに登録するとともに、ユーザに提案する場合、コーディネートを登録したユーザの名前をコーディネートパターンとともに表示部１２に表示させることとしてもよい。これにより、ユーザは、自分の好みに合う他のユーザのコーディネートを参照しつつ、ファッションアイテムを選択することができる。表示されるユーザの名前は、例えばユーザ自身が登録したニックネームであり、ユーザＩＤ等とともに、ユーザデータＵｄに登録される。
【００５１】
（実施の形態２）
本実施の形態に係るコーディネートシステム２は、ワードローブ登録機能を備える点で、実施の形態１に係るコーディネートシステム１と異なる。その他の構成は実施の形態１と同様であるので、同じ符号を付す。
【００５２】
図７に示すように、本実施の形態に係るサーバ記憶部２２に記憶されるユーザデータＵｄは、ユーザが所有しているファッションアイテムを表すワードローブデータＷｄを含む。
【００５３】
本実施の形態に係るホーム画面（商品選択画面）では、図８に示すように、カテゴリ選択メニューとともに、ワードローブ登録ボタン３２が表示されている。ユーザがワードローブ登録ボタン３２を押下することで、ワードローブ登録モードに切り替わり、ワードローブ登録処理が開始される。
【００５４】
ワードローブ登録処理について、図９に示すフローチャートを参照しつつ説明する。
【００５５】
ユーザが、ユーザ端末１０の表示部１２に表示されているワードローブ登録ボタン３２を押下すると、端末制御部１３は、ワードローブ登録処理開始信号を、端末通信部１４からサーバ２０へ送信する。サーバ２０のサーバ制御部２１は、ワードローブ登録処理開始信号を受信すると、表示部１２に登録アイテム選択画面を表示させる（ステップＳ３１）。
【００５６】
続いて、ユーザは、登録するファッションアイテムのカテゴリを選択し、ユーザが所有しているファッションアイテムの特徴を選択する（ステップＳ３２）。ファッションアイテムの特徴は、例えば、図１０に示すように、トップスのカテゴリについて、色、襟、ボタン、袖の形状等である。
【００５７】
端末制御部１３は、選択されたファッションアイテムの特徴を表す特徴パラメータをサーバ２０へ送信する。サーバ２０の表示商品選択部２１２は、サーバ記憶部２２に記憶されている商品群の商品データＰｄから、受信した特徴パラメータに該当する商品を検索する（ステップＳ３３）。サーバ制御部２１は、該当する商品データＰｄをユーザ端末１０へ送信する。
【００５８】
端末制御部１３は、受信した商品データＰｄから画像データを読み出して、表示部１２に表示させる（ステップＳ３４）。ユーザは、表示された商品のイメージと、自分が所有するファッションアイテムのイメージとが近いと判断すれば（ステップＳ３５のＹＥＳ）、登録ボタンを押下する。
【００５９】
登録候補となる商品が複数存在する場合、端末制御部１３は、複数の商品の画像データを表示部１２に表示させる。ユーザは、表示された商品から自分が所有するファッションアイテムに近い商品を選択して登録ボタンを押下する。
【００６０】
登録ボタンが押下されると、端末制御部１３は、登録する商品の商品ＩＤをサーバ２０へ送信する。サーバ２０は、受信した商品ＩＤをユーザのワードローブデータＷｄに追加して、サーバ記憶部２２へ記憶させる（ステップＳ３６）。
【００６１】
選択した商品データＰｄをワードローブデータＷｄに追加する際、商品データＰｄに含まれるサイズのデータをユーザの身体データＳｄに合わせたサイズに変更して登録する。これにより、登録候補の商品がユーザの体型に合わないものである場合でも、アバターＵａに適切に合成し、試着イメージを作成することができる。
【００６２】
表示された商品のイメージと、所有しているファッションアイテムのイメージとが近くないと、ユーザが判断した場合（ステップＳ３５のＮＯ）、商品をワードローブデータＷｄに登録せず、次の処理に進む。
【００６３】
他に登録したいファッションアイテムがある場合（ステップＳ３７のＹＥＳ）、ユーザは、ステップＳ３２からＳ３６の処理を繰り返し、ワードローブデータＷｄに商品データＰｄを追加する。登録したいファッションアイテムの追加が完了すると（ステップＳ３７のＮＯ）、ユーザは、表示部１２に表示されている登録完了ボタンを押下する。端末制御部１３は、登録完了ボタンが押下されると、ワードローブ登録処理を終了し、表示部１２にホーム画面を表示させる。
【００６４】
図１１に示すように、ワードローブデータＷｄが存在する場合、カテゴリ選択メニューにワードローブが表示される。ワードローブを選択すると、ユーザが予め登録しているワードローブデータＷｄから、ユーザが所有しているファッションアイテムの画像が表示され、アバターＵａに試着させることができる。ワードローブデータＷｄに登録されているファッションアイテムは、他の商品と同様に、アバターＵａに合成し、試着イメージ画像を確認することができる。これにより、ユーザは、購入したい商品と、既に所有しているファッションアイテムとを組み合わせた着用イメージを確認することができる。
【００６５】
また、ユーザのワードローブデータＷｄに登録されているファッションアイテムは、サーバ記憶部２２に記憶されている商品データＰｄのうち、イメージの近いものから選択することとしている。したがって、ワードローブデータＷｄに登録されている個々のファッションアイテムのデータには、推奨されるコーディネートを表すコーディネートデータＣｄが、設定されている。これにより、ユーザが所有しているファッションアイテムに対する推奨コーディネート商品を表示させることが可能となるため、ユーザは、所有しているファッションアイテムをベースとして、購入すべき商品を検討できる。
【００６６】
また、コーディネートシステム２は、ユーザが購入した商品を、自動的にワードローブデータＷｄへ追加する。これにより、ユーザは、追加の手間無く、ワードローブデータＷｄを更新できる。
【００６７】
以上、詳細に説明したように、本実施の形態では、ユーザが所有しているファッションアイテムをワードローブデータＷｄとして、商品選択時に参照することができるので、自己の所有するファッションアイテムとの組み合わせとしてのコーディネートをより容易に行うことができる。
【００６８】
本実施の形態では、サーバ記憶部２２に記憶されている商品データＰｄの画像を表示部１２に表示させることにより、ワードローブデータＷｄとして登録するファッションアイテムを選択することとしたが、これに限られない。例えば、表示された選択候補の商品画像をアバターＵａと合成して作成した試着イメージを表示部１２に表示して、登録するか否か選択させることとしてもよい。これにより、選択した商品が、ユーザの所有するファッションアイテムのイメージに近いものであるか否か、より容易に確認することができる。
【符号の説明】
【００６９】
１，２  コーディネートシステム、１０  ユーザ端末、１１  入力部、１２  表示部、１３  端末制御部、１４  端末通信部、１５  端末記憶部、２０  サーバ、２１  サーバ制御部、２１１  試着イメージ作成部、２１２  表示商品選択部、２２  サーバ記憶部、２３  サーバ通信部、３１  購入ボタン、３２  ワードローブ登録ボタン、Ｕｄ  ユーザデータ、Ｓｄ  身体データ、Ｐｄ  商品データ、Ｃｄ  コーディネートデータ、Ｕａ  アバター、Ｗｄ  ワードローブデータ
【図１】
2019191785.tif 000003
【図２】
2019191785.tif 000004
【図３】
2019191785.tif 000005
【図４】
2019191785.tif 000006
【図５】
2019191785.tif 000007
【図６】
2019191785.tif 000008
【図７】
2019191785.tif 000009
【図８】
2019191785.tif 000010
【図９】
2019191785.tif 000011
【図１０】
2019191785.tif 000012
【図１１】
2019191785.tif 000013